(57)【要約】【課題】安定して嵌合することができ、かつ嵌合時に良好な装着感が得られ、嵌合できたかどうかを判断しやすく、袋体の開口部を安定して閉じることができる嵌合具、及び該嵌合具を備える嵌合具付き袋体の提供を目的とする。【解決手段】一対の第１の基材１１及び第２の基材１２と、それら基材のそれぞれの対向面１１ａ，１２ａに長手方向に沿って設けられた、突条の雄側嵌合部１３及び雌側嵌合部１４とを有し、雄側嵌合部１３は、第１の基材１１の対向面１１ａから立ち上がる幹部１３ａと、幹部１３ａの先端側に設けられた幹部１３ａよりも大きい頭部１３ｂとを有し、かつ頭部１３ｂの先端側に長手方向に沿って凹条１３ｃが形成され、頭部１３ｂから幹部１３ａの先端側の部分が凹条１３ｃによって枝分かれしている嵌合具１０。また、内容物収容する袋本体と、嵌合具１０を具備する嵌合具付き袋体。【選択図】図１
2013180188.tif 000002
【特許請求の範囲】
【請求項１】
一対の帯状の基材と、
前記一対の基材のそれぞれの対向面に長手方向に沿って設けられた、突条の雄側嵌合部及び該雄側嵌合部に着脱自在に嵌合する雌側嵌合部と、を有し、
前記雄側嵌合部は、前記基材の対向面から立ち上がる幹部と、該幹部の先端側に設けられた該幹部よりも大きい頭部とを有し、かつ前記頭部の先端側に長手方向に沿って凹条が形成され、前記頭部から前記幹部の先端側の部分が前記凹条によって枝分かれしていることを特徴とする嵌合具。
【請求項２】
内容物を収容する袋本体と、該袋本体の開口部の内面に設けられた請求項１に記載の嵌合具とを具備する嵌合具付き袋体。
【発明の詳細な説明】
【技術分野】
【０００１】
本発明は、嵌合具及び嵌合具付き袋体に関する。
【背景技術】
【０００２】
食品、薬品、雑貨等の様々な分野において、袋本体の開口部近傍の内面に、開口部を開閉自在に封じる嵌合具が取り付けられた嵌合具付き袋体が広く用いられている。例えば、一対の帯状の基材のそれぞれの対向面に、突条の雄側嵌合部及び該雄側嵌合部に着脱自在に嵌合する雌側嵌合部が、それら基材の長手方向に沿ってそれぞれ設けられた嵌合具を備えた嵌合具付き袋体が知られている（例えば、特許文献１）。雄側嵌合部は、基材の対向面から立ち上がる幹部と、該幹部の先端側に設けられた該幹部よりも大きな頭部とを有している。一方、雌側嵌合部は、もう一方の基材の対向面から円弧状に立ち上がる一対のアーム部を有し、それら一対のアーム部によって凹部が形成されている。
【０００３】
このような嵌合具を備えた嵌合具付き袋体では、嵌合具の雄側嵌合部の頭部を雌側嵌合部の凹部に嵌め込んで嵌合することにより、袋体に形成した開口部を閉じることができる。また、嵌合具が取り付けられた袋本体の各々の開口端をそれぞれ把持し、それらを離間する方向に引っ張り、雄側嵌合部の頭部を雌側嵌合部の凹部から脱離させることで、袋体を再び開封することができる。
【先行技術文献】
【特許文献】
【０００４】
【特許文献１】特開２００３−１６０１４７号公報
【発明の概要】
【発明が解決しようとする課題】
【０００５】
しかし、従来の嵌合具付き袋体では、雄側嵌合部の頭部を雌側嵌合部の凹部に嵌め込んだ際の装着感が充分とは言えず、しっかりと嵌合できたかどうかを判断しづらいことがある。そのため、袋体の開口部を閉じる際、嵌合具が部分的に嵌合できていない部分があってもそれに気付かず、内容物が漏れ出したり、内容物が劣化したりすることがある。このことから、嵌合具には、安定に嵌合して袋体の開口部を閉じることができることに加え、嵌合の際に良好な装着感が得られ、嵌合できたかどうかを判断しやすいことが重要である。
【０００６】
本発明は、安定して嵌合することができ、かつ嵌合時に良好な装着感が得られ、嵌合できたかどうかを判断しやすく、袋体の開口部を安定して閉じることができる嵌合具、及び該嵌合具を備える嵌合具付き袋体の提供を目的とする。
【課題を解決するための手段】
【０００７】
本発明の嵌合具は、一対の帯状の基材と、
前記一対の基材のそれぞれの対向面に長手方向に沿って設けられた、突条の雄側嵌合部及び該雄側嵌合部に着脱自在に嵌合する雌側嵌合部と、を有し、
前記雄側嵌合部は、前記基材の対向面から立ち上がる幹部と、該幹部の先端側に設けられた該幹部よりも大きい頭部とを有し、かつ前記頭部の先端側に長手方向に沿って凹条が形成され、前記頭部から前記幹部の先端側の部分が前記凹条によって枝分かれしていることを特徴とする。
【０００８】
また、本発明の嵌合具付き袋体は、内容物を収容する袋本体と、該袋本体の開口部の内面に設けられた本発明の嵌合具とを具備することを特徴とする。
【発明の効果】
【０００９】
本発明の嵌合具は、安定に嵌合することができ、かつ嵌合時に良好な装着感が得られ、嵌合できたかどうかを判断しやすく、袋体の開口部を安定して閉じることができる
また、本発明の嵌合具付き袋体は、本発明の嵌合具を備えているため、嵌合具を嵌合できたかどうかを判断しやすく、袋体の開口部を安定して閉じることができる。
【図面の簡単な説明】
【００１０】
【図１】本発明の嵌合具の一例を示した断面図である。
【図２】本発明の嵌合具の雄側嵌合部を示した斜視図である。
【図３】図１の嵌合具の雄側嵌合部と雌側嵌合部を嵌合する様子を示した断面図である。
【図４】本発明の嵌合具付き袋体を示した正面図である。
【図５】図４の嵌合具付き袋体を直線Ｉ−Ｉ’で切断したときの断面図である。
【図６】図４の嵌合具付き袋体を開封した様子を示した斜視図である。
【図７】他の嵌合具を示した断面図である。
【発明を実施するための形態】
【００１１】
［嵌合具］
以下、本発明の嵌合具の一例を示して詳細に説明する。図１は、本発明の嵌合具の一例である嵌合具１０を長手方向に対して垂直に切断したときの断面図である。
嵌合具１０は、一対の帯状の第１の基材１１及び第２の基材１２と、第１の基材１１及び第２の基材１２のそれぞれの対向面１１ａ，１２ａに長手方向に沿って設けられた雄側嵌合部１３及び雌側嵌合部１４とを有している。雄側嵌合部１３と雌側嵌合部１４は、互いに着脱自在に嵌合することができる。
【００１２】
第１の基材１１は、特に限定されず、公知の嵌合具の基材に使用されるものが使用でき、積層フィルムからなる基材が好ましい。積層フィルムからなる第１の基材１１としては、例えば、対向面１１ａ側から、耐熱層とヒートシール層が積層されたフィルムが挙げられる。また、第１の基材１１は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１３】
第１の基材１１は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材１１は、積層フィルムからなる基材には限定されず、単層フィルムからなる基材であってもよい。
第２の基材１２としては、第１の基材１１と同じ基材が挙げられ、好ましい態様も同じである。
【００１４】
雄側嵌合部１３は、図１及び図２に示すように、第１の基材１１の対向面１１ａから立ち上がる幹部１３ａと、幹部１３ａの先端側に設けられ、幹部１３ａよりも大きい頭部１３ｂを有している。また、雄側嵌合部１３は、頭部１３ｂの先端側に、長手方向に沿って１つの凹条１３ｃが形成されており、頭部１３ｂから幹部１３ａの先端側の部分が凹条１３ｃによって枝分かれしている。すなわち、雄側嵌合部１３は、凹条１３ｃによって、幹部１３ａの途中から頭部１３ｂの先端までが二股に分かれた形状となっている。
雌側嵌合部１４は、第２の基材１２の対向面１２ａから断面円弧状に立ち上がる一対の第１のアーム部１４ａと第２のアーム部１４ｂからなり、第１のアーム部１４ａと第２のアーム部１４ｂによって凹部１４ｃが形成されている。
雄側嵌合部１３と雌側嵌合部１４は、雄側嵌合部１３の頭部１３ｂを雌側嵌合部１４の凹部１４ｃに嵌め込むことで、着脱自在に嵌合できるようになっている。
【００１５】
嵌合具１０は、雄側嵌合部１３における幹部１３ａの途中から頭部１３ｂの先端までが二股に分かれた形状となっているため、雄側嵌合部１３と雌側嵌合部１４を嵌合する際に従来の嵌合具よりも良好な装着感が得られる。これは、以下のように考えられる。
図３に示すように、雄側嵌合部１３の頭部１３ｂを雌側嵌合部１４の凹部１４ｃに嵌め込む際、雌側嵌合部１４の第１のアーム部１４ａと第２のアーム部１４ｂが押し開かれつつ、雄側嵌合部１３の頭部１３ｂ側の二股に枝分かれした部分が、雌側嵌合部１４の第１のアーム部１４ａと第２のアーム部１４ｂによって内側に押し狭められる。そして、雄側嵌合部１３の頭部１３ｂが雌側嵌合部１４の凹部１４ｃに嵌まり込むとき、図１に示すように、雌側嵌合部１４の第１のアーム部１４ａと第２のアーム部１４ｂが元の形状に戻ると同時に、雄側嵌合部１３の頭部１３ｂ側の二股に分かれた部分も元の形状に戻る。これにより、雌側嵌合部１４の形状が元に戻るときの振動と、雄側嵌合部１３の形状が元に戻るときの振動が足し合わされることで、雌側嵌合部１４の形状が元に戻るときの振動のみの従来の嵌合具に比べて良好な装着感が得られる。そのため、雄側嵌合部１３と雌側嵌合部１４をしっかりと嵌合できたかどうかを判断しやすい。
【００１６】
また、例えば、図７に例示した嵌合具１００では部分的に充分に嵌合できないときがある。具体的には、嵌合具１００は、一対の第１の基材１１１と第２の基材１１２のそれぞれの対向面１１１ａ，１１２ａに、長手方向に沿って雄側嵌合部１１３と雌側嵌合部１１４が設けられている。雄側嵌合部１１３は、先端が外側に折り返された形状の一対のアーム部１１３ａ，１１３ｂからなり、雌側嵌合部１１４は、先端が内側に折り返された形状の一対のアーム部１１４ａ，１１４ｂを有している。嵌合具１００では、雄側嵌合部１１３の一対のアーム部１１３ａ，１１３ｂが、雌側嵌合部１１４の一対のアーム部１１４ａ，１１４ｂの間に挿入され、雄側嵌合部１１３のアーム部１１３ａと雌側嵌合部１１４のアーム部１１４ａ、雄側嵌合部１１３のアーム部１１３ｂと雌側嵌合部１１４のアーム部１１４ｂがそれぞれ引っ掛かるようにすることで、嵌合できるようになっている。
この嵌合具１００では、嵌合する際に、雌側嵌合部１１４の一対のアーム部１１４ａ，１１４ｂのいずれか一方が、雄側嵌合部１１３の一対のアーム部１１３ａ，１１３ｂの間に入り込むことで、嵌合が部分的に不充分になることがある。
これに対し、嵌合具１０は、幹部１３ａの途中から頭部１３ｂの先端までが二股に分かれた形状であり、雄側嵌合部１３の幹部１３ａにおける第１の基材１１側は分かれていない。すなわち、雄側嵌合部１３における凹条１３ｃの深さは、雌側嵌合部１４の第１のアーム部１４ａ又は第２のアーム部１４ｂが充分に入り込めるほど深くはないため、雌側嵌合部１４の第１のアーム部１４ａ又は第２のアーム部１４ｂが雄側嵌合部１３の凹条１３ｃに入り込んで嵌合が不充分になることが抑制される。
以上のことから、嵌合具１０では、雄側嵌合部１３と雌側嵌合部１４を安定して嵌合でき、かつ嵌合時に良好な装着感が得られ、嵌合が充分に行えたかどうかを判断しやすいため、袋体の開口部を安定して閉じることができる。
【００１７】
凹条１３ｃの底面１３ｄは、図２に示すように、幹部１３ａの第１の基材１１側の基端と、頭部１３ｂ側の先端との間に位置している。
雄側嵌合部１３の高さｄ２（雄側嵌合部１３における頭部１３ｂの先端から第１の基材１１の対向面１１ａまでの長さ。図２）に対する、凹条１３ｃの深さｄ１（凹条１３ｃにおける頭部１３ｂの先端側の端部から底面１３ｄまでの長さ。図２）の比ｄ１／ｄ２は、１／１０〜１／１が好ましく、３／１０〜１／１がより好ましい。
前記比ｄ１／ｄ２が下限値以上であれば、雄側嵌合部１３と雌側嵌合部１４を嵌合する際により良好な装着感が得られ、開口部を閉じることができたかどうかを判断するのがより容易になる。前記比ｄ１／ｄ２が上限値以下であれば、雄側嵌合部１３の頭部１３ｂを雌側嵌合部１４の凹部１４ｃにより安定して嵌め込むことができる。
【００１８】
雄側嵌合部１３の断面形状は、凹条１３ｃが形成され、幹部１３ａの途中から頭部１３ｂの先端までが二股に分かれた形状となっている以外は、雄側嵌合部１３と雌側嵌合部１４を互いに着脱することで、袋本体の開口部の開閉が繰り返し行えるものであればよい。また、雌側嵌合部１４の断面形状も、第１のアーム部１４ａと第２のアーム部１４ｂを有し、袋本体の開口部の開閉が繰り返し行えるものであればよい。
雄側嵌合部１３及び雌側嵌合部１４の材質としては、第１の基材１１及び第２の基材１２と同じ材質が使用できる。
【００１９】
［嵌合具付き袋体］
以下、本発明の嵌合具付き袋体の一例として、前述した嵌合具１０を備えた嵌合具付き袋体１（以下、「袋体１」という。）について説明する。
本実施形態の袋体１は、図４に示すように、内容物を収容する密封された状態の袋本体２０と、袋本体２０の上部の内面に、横方向に沿って取り付けられた嵌合具１０とを具備している。
袋本体２０は、第１のフィルム材２１と第２のフィルム材２２が重ね合わされ、それらの周縁部２３が全てヒートシールされることで形成されており、密封された状態になっている。また、袋本体２０における嵌合具１０よりも上部側には、横方向に沿って切断補助線２４が設けられており、その端部にノッチ２５が形成されている。
嵌合具１０は、図５に示すように、嵌合具１０の第１の基材１１の外面１１ｂが袋本体２０の第１のフィルム材２１に溶着され、嵌合具１０の第２の基材１２の外面１２ｂが袋本体２０の第２のフィルム材２２に溶着されている。
【００２０】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００２１】
袋本体２０を形成する第１のフィルム材２１と第２のフィルム材２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１のフィルム材２１と第２のフィルム材２２は、シーラント層のみからなる単層フィルムであってもよい。
【００２２】
切断補助線２４は、袋本体２０を切断して開封するのを補助する線である。切断補助線２４としては、例えば、袋本体２０の第１のフィルム材２１及び第２のフィルム材２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の幅方向に沿って形成されているが、この形態には限定されず、袋本体２０の幅方向に対して傾斜して設けられていてもよい。
【００２３】
ノッチ２５の形状は、この例では三角形状であるが、特に限定されず、半円形状、直線状等であってもよい。
【００２４】
袋体１は、ノッチ２５から切断補助線２４に沿って袋本体２０の上部を切断して除去することで、図６に示すように、上部に開口部２６を形成して開封することができる。袋体１に形成した開口部２６は、嵌合具１０の雄側嵌合部１３と雌側嵌合部１４を着脱することで繰り返し開閉できる。
袋体１は、嵌合具１０を用いているため、雄側嵌合部１３と雌側嵌合部１４を安定して嵌合することができ、かつ雄側嵌合部１３と雌側嵌合部１４を嵌合した際の装着感が良好で、開口部２６を閉じることができたかどうかの判断が容易である。そのため、雄側嵌合部１３と雌側嵌合部１４の嵌合が部分的に不充分になることを抑制しやすく、開口部２６を安定して閉じることができる。
【００２５】
なお、本発明の嵌合具及び嵌合具付き袋体は、前記嵌合具１０及び袋体１には限定されない。
例えば、本発明の効果を損なわない範囲であれば、雄側嵌合部に複数の凹条が形成されてもよい。具体的には、例えば、雄側嵌合部の頭部の先端側に、２つの凹条が並行して形成され、幹部の途中から頭部までが３つに枝分かれした嵌合具であってもよい。
また、嵌合具付き袋体の袋本体は特に限定されず、嵌合具付き袋体の袋本体として知られる様々な形態の袋本体を採用できる。例えば、袋体１は切断補助線２４を利用して開封するまでは密封状態の袋体であったが、予め開口部が形成された袋本体を有する嵌合具付き袋体であってもよい。
【符号の説明】
【００２６】
１・・・嵌合具付き袋体、１０・・・嵌合具、１１・・・第１の基材、１１ａ・・・対向面、１２・・・第２の基材、１２ａ・・・対向面、１３・・・雄側嵌合部、１３ａ・・・幹部、１３ｂ・・・頭部、１３ｃ・・・凹条、１４・・・雌側嵌合部、１４ａ・・・第１のアーム部、１４ｂ・・・第２のアーム部、１４ｃ・・・凹部、２０・・・袋本体、２１・・・第１のフィルム材、２２・・・第２のフィルム材、２３・・・周縁部、２４・・・切断補助線、２５・・・ノッチ、２６・・・開口部。
【図１】
2013180188.tif 000003
【図２】
2013180188.tif 000004
【図３】
2013180188.tif 000005
【図４】
2013180188.tif 000006
【図５】
2013180188.tif 000007
【図６】
2013180188.tif 000008
【図７】
2013180188.tif 000009